(57)【要約】【課題】本発明は、機械的保護性能が高く、紫外線等から有効に保護され、データキャリアや通信装置の設置箇所の自由度が向上する電磁波通信システムを提供することを可能にすることを目的としている。【解決手段】データキャリア１ａはその表面が金属層５で覆われ、該金属層５は、それを介して該データキャリア１ａが通信装置１４との間で電磁誘導作用により電磁波通信が可能な厚さに形成されていることを特徴とする。【選択図】      図１
2005020364.tif 000002
【特許請求の範囲】
【請求項１】
アンテナを含む送受信部、制御部及び記憶部を有するデータキャリアと、アンテナを含む送受信部と制御部を有し前記データキャリアとの間で電磁波通信を行う通信装置とを備えた電磁波通信システムにおいて、
前記データキャリアはその表面が金属層で覆われ、前記金属層は、それを介して該データキャリアが前記通信装置との間で電磁誘導作用により電磁波通信が可能な厚さに形成されていることを特徴とする電磁波通信システム。
【請求項２】
前記データキャリアの表面を覆う金属層の表面側に通信位置を表示するか、または暗号機能を有するマーク、図形もしくは記号が表示されていることを特徴とする請求項１に記載の電磁波通信システム。
【請求項３】
前記データキャリアの表面を覆う金属層の表面側が銘板の表示面を構成することを特徴とする請求項１または請求項２に記載の電磁波通信システム。
【請求項４】
前記データキャリアはカード状に形成され、その両面が前記金属層で覆われていることを特徴とする請求項１に記載の電磁波通信システム。
【請求項５】
前記データキャリアが前記金属層で形成された容器に収容されていることを特徴とする請求項１に記載の電磁波通信システム。
【請求項６】
前記データキャリアは設置体に設置され、その表面側が前記金属層で覆われていることを特徴とする請求項１に記載の電磁波通信システム。
【請求項７】
前記設置体は回転軸であり、前記データキャリアは該回転軸の端面に設置されていることを特徴とする請求項６に記載の電磁波通信システム。
【請求項８】
前記設置体におけるデータキャリアを設置する部分の材質が高導電性材料の場合は、該高導電性材料とデータキャリアとの間に高比透磁率の磁性体が介在されることを特徴とする請求項６に記載の電磁波通信システム。
【請求項９】
アンテナを含む送受信部、制御部及び記憶部を有するデータキャリアと、アンテナを含む送受信部と制御部を有し前記データキャリアとの間で電磁波通信を行う通信装置とを備えた電磁波通信システムにおいて、
前記通信装置の少なくともアンテナ部分の表面が金属層で覆われ、前記金属層は、それを介して該通信装置が前記データキャリアとの間で電磁誘導作用により電磁波通信が可能な厚さに形成されていることを特徴とする電磁波通信システム。
【請求項１０】
前記通信装置は電磁波通信により前記データキャリアとの間で通信を行うリーダまたはリーダライタであることを特徴とする請求項９に記載の電磁波通信システム。
【請求項１１】
前記通信装置は開閉ロック機構に設置され、その少なくともアンテナ部分の表面側が前記金属層で覆われていることを特徴とする請求項９に記載の電磁波通信システム。
【請求項１２】
前記金属層の表面側に通信位置を表示するか、または暗号機能を有するマーク、図形もしくは記号が表示されていることを特徴とする請求項１１に記載の電磁波通信システム。
【発明の詳細な説明】
【０００１】
【発明の属する技術分野】
本発明は、データキャリア及びそれとの間で非接触により電磁波通信を行う通信装置を備えた電磁波通信システムに関するものである。
【０００２】
【従来の技術】
アンテナを含む送受信部、制御部及び記憶部を有するデータキャリアと、アンテナを含む送受信部と制御部を有し前記データキャリアとの間で電磁波通信を行う通信装置とを備えた電磁波通信システムが知られている。
【０００３】
これ等データキャリアの送受信部と記憶部等、または通信装置の送受信部と制御部等は、通常、ＩＣチップで構成され、全体が極めて小型化されている。データキャリアは例えばカード状に形成され、ＩＣカードとして交通関係の定期券や金融関係のキャッシュカード、入出管理用カード等に使用されている。通常、これ等のＩＣカードはデータキャリアを樹脂モールドしてその両側を２枚の薄い保護用の樹脂シートで挟んで構成される。
【０００４】
また、データキャリアは機械、装置、工具、種々の製品等の設置体に設置され、それ等の特性、仕様、保守経歴等の情報をその記憶部に格納することにより、それ等設置体についての製造工程管理、流通管理、メンテナンス管理等に利用される。
【０００５】
一方、上記データキャリアとの間で非接触により電磁波通信を行う通信装置としては、データキャリアに記憶された情報を読み出す機能を有するリーダ、またはデータキャリアに記憶された情報を読み出すと共にデータキャリアに情報を書き込む機能を有するリーダライタがある。これらは一般に携帯型が多く、データキャリアを設置した部分にそのアンテナ部分（通信部分）を接近させて電磁波通信を行う。
【０００６】
またデータキャリアが前記定期券やキャッシュカードのようなＩＣカードである場合、それと電磁波通信を行う通信装置は自動改札機の定期券読み取り部や金銭出納機のカード読み取り部等に設置される固定型とされる。
【０００７】
データキャリアや通信装置は外部からの機械的衝撃や紫外線等から保護するため、その表面は保護層で保護される。保護層が非導電性材料である樹脂層である場合は、電磁波通信における電磁波が簡単に透過するので、通信感度を低下させることはない。
【０００８】
しかし樹脂層は機械的保護が不十分であると共に紫外線で劣化し、保護層を通過した紫外線で内部のデータキャリアが損傷を受けることもある。
【０００９】
一方、保護層を金属材料で形成する場合は機械的保護性能が向上すると共に、上記のような紫外線による影響を回避出来る。しかし保護層が導電性材料である金属層の場合は電磁波を遮蔽する特性があるので、従来から電磁波通信が出来ないとされてデータキャリア等を全面的に覆う保護層としては採用されていない。
【００１０】
そこで本出願人は、機械的強度の大きい金属等の導電性部材で保護された状態で外部との通信を可能としたデータキャリア設置構造及びその通信方法等を提案している（例えば、特許文献１〜３参照。）。
【００１１】
【特許文献１】
特開２００２−１１８４９０号公報
【特許文献２】
特開２００２−１５７５６５号公報
【特許文献３】
特開２００２−２０８８７６号公報
【００１２】
【発明が解決しようとする課題】
しかしながら、前述の従来例では、特殊な磁束漏洩路を形成する必要があるためデータキャリアの設置箇所等が制約を受けるという問題があった。
【００１３】
本発明は前記課題を解決するものであり、その目的とするところは、機械的保護性能が高く、紫外線等から有効に保護され、データキャリアや通信装置の設置箇所の自由度が向上する電磁波通信システムを提供せんとするものである。
【００１４】
【課題を解決するための手段】
本発明者等は種々研究の結果、データキャリアやリーダライタ等の通信装置を覆う保護層が金属層であっても、特定の厚さ以下では電磁波通信が可能になることを見出し、本発明を完成したものである。
【００１５】
即ち、前記目的を達成するための本発明に係る電磁波通信システムは、アンテナを含む送受信部、制御部及び記憶部を有するデータキャリアと、アンテナを含む送受信部と制御部を有し前記データキャリアとの間で電磁波通信を行う通信装置とを備えた電磁波通信システムにおいて、前記データキャリアはその表面が金属層で覆われ、前記金属層は、それを介して該データキャリアが前記通信装置との間で電磁誘導作用により電磁波通信が可能な厚さに形成されていることを特徴とする。
【００１６】
本発明は、上述の如く構成したので、電磁波通信システムを構成するデータキャリアが金属層により覆われているので、紫外線に曝される機会が多い屋外施設等での利用の場合であっても、該金属層により覆われた部分の機械的保護性能が向上し、更に紫外線から有効に保護して長期間の耐久性を確保出来る。またデータキャリアは金属層を介して通信装置と実用レベルで電磁波通信を行うことが出来る。
【００１７】
また、前記データキャリアの表面を覆う金属層の表面側に通信位置を表示するか、または暗号機能を有するマーク、図形もしくは記号を表示することが出来る。このように通信位置を表示することにより、該通信位置に通信装置を近づけることによりデータキャリアと最短距離で電磁波通信を行うことが出来るので、誰でも迷うことなく確実に且つ高い通信感度で電磁波通信を行うことが出来る。
【００１８】
また、暗号機能を有するマーク等を表示することにより、関係者以外はそのマーク等の意味を認識出来ず、関係者のみが該マーク等に通信装置を近づけてデータキャリアと電磁波通信を行うことが可能であるので、データキャリアのセキュリティ性を高めることが出来る。
【００１９】
また、前記データキャリアの表面を覆う金属層の表面側が銘板の表示面を構成することが出来る。このような構成とすると裏面にデータキャリアを設けた銘板を構成出来、屋外において使用される街路灯等の道路施設や建設機械の銘板の裏面に設けたデータキャリアに安定して各種情報を記憶することが出来る。
【００２０】
また、前記データキャリアはカード状に形成され、その両面を前記金属層で覆うことが出来る。このカード状のデータキャリアは、機械的保護性能が高く、屋外に曝しても紫外線により損傷を受けない耐久性の高いＩＣカードとなる。
【００２１】
また、前記データキャリアを前記金属層で形成された容器に収容することが出来る。このようにデータキャリアを容器内に収容すると、屋外に曝しても紫外線により損傷を受けない耐久性の高いデータキャリアとなり、例えば持ち運び自由なゲームコインやカジノコイン等に利用出来る。
【００２２】
また、前記データキャリアを設置体に設置し、その表面側を前記金属層で覆うことが出来る。このように設置体に設置したデータキャリアに、その設置体の情報を記憶させておくことが出来る。
【００２３】
また、前記設置体が回転軸の場合、前記データキャリアを該回転軸の端面に設置することが出来る。このようにデータキャリアを回転軸の端面に設置すると、該回転軸の回転に伴う遠心力のデータキャリアに対する影響を低減出来る。
【００２４】
また、前記設置体におけるデータキャリアを設置する部分の材質が高導電性材料の場合は、該高導電性材料とデータキャリアとの間に高比透磁率の磁性体を介在させることが出来る。
【００２５】
データキャリアに接するような形態で高導電性材料が存在すると、電磁波通信に利用する磁束により該高導電性材料に渦電流が流れ、それによって通信感度が低下する傾向にあるが、このような高比透磁率の磁性体を介在させることにより、渦電流が流れることを防止出来、通信感度低下を回避することが出来る。
【００２６】
また、本発明に係る他の電磁波通信システムは、アンテナを含む送受信部、制御部及び記憶部を有するデータキャリアと、アンテナを含む送受信部と制御部を有し前記データキャリアとの間で電磁波通信を行う通信装置とを備えた電磁波通信システムにおいて、前記通信装置の少なくともアンテナ部分の表面が金属層で覆われ、前記金属層は、それを介して該通信装置が前記データキャリアとの間で電磁誘導作用により電磁波通信が可能な厚さに形成されていることを特徴とする。
【００２７】
上記構成によれば、電磁波通信システムを構成する通信装置の少なくともアンテナ部分、即ちその通信部分の表面が金属層により覆われているので、該部分の機械的保護性能が高く、使用状態で紫外線に曝される機会の多い該通信部分を紫外線から有効に保護して長期間の耐久性を確保出来る。また通信装置は金属層を介してデータキャリアと実用レベルで電磁波通信を行うことが出来る。
【００２８】
また、前記通信装置は電磁波通信により前記データキャリアとの間で通信を行うリーダまたはリーダライタとすることが出来る。このように上記通信装置はリーダまたはリーダライタとすることが出来、そのリーダまたはリーダライタにおけるデータキャリアとの通信を行うアンテナ部分、即ち電磁波検出もしくは送信する通信部分の表面が金属層により覆われているので、機械的保護性能が高くなり、使用状態で紫外線に曝される機会の多い該通信部分が紫外線から有効に保護され、長期間の耐久性を確保出来る。
【００２９】
また、前記通信装置を開閉ロック機構に設置し、その少なくともアンテナ部分の表面側を前記金属層で覆うことが出来る。このように上記通信装置は開閉ロック機構に設置することが出来、例えば建物の出入口に設けたドアや金庫の扉等の開閉ロック機構をデータキャリアとの電磁波通信により駆動することが出来る。
【００３０】
また、前記金属層の表面側に通信位置を表示するか、または暗号機能を有するマーク、図形もしくは記号を表示することが出来る。通信位置を表示した場合、該通信位置に通信装置を近づけることによりデータキャリアと最短距離で電磁波通信を行うことが出来るので、誰でも迷うことなく確実に且つ高い通信感度で電磁波通信を行って開閉ロック機構を駆動することが出来る。
【００３１】
また、暗号機能を有するマーク等を表示した場合、関係者以外はそのマーク等の意味を認識出来ず、関係者のみが該マーク等に通信装置を近づけてデータキャリアと電磁波通信を行って開閉ロック機構を駆動することが出来るので、データキャリアのセキュリティ性を高めることが出来る。
【００３２】
【発明の実施の形態】
図により本発明に係る電磁波通信システムの一実施形態を具体的に説明する。図１（ａ），（ｂ）は本発明に係る電磁波通信システムのデータキャリア構造をカードとして構成した一例を示す断面説明図及び正面説明図、図２（ａ），（ｂ）は円形状のアンテナコイルを有するデータキャリアの構成及び該アンテナコイルに発生する磁界の様子を示す図、図３はデータキャリアの制御系の構成を示すブロック図、図４は本発明に係るデータキャリア構造における通信原理を説明する図である。
【００３３】
図５は本発明に係るデータキャリア構造の他の例であり、円形状のアンテナコイルを有するデータキャリアを金属層で形成された容器に封入した構成を示す断面説明図、図６は本発明に係るデータキャリア構造の更に他の例であり、シリンダ状のアンテナコイルを有するデータキャリアを金属層で形成された容器に封入した構成を示す断面説明図、図７はシリンダ状のアンテナコイルを有するデータキャリアの構成及び該アンテナコイルに発生する磁界の様子を示す図である。
【００３４】
本発明は、図１、図３、図５及び図６に示すように、アンテナコイル２ａ，２ｂを含む送受信部４ｃ、ＣＰＵ（中央演算装置）等の制御部４ａ及びメモリ等の記憶部４ｂとを有し、電磁波により通信を行うデータキャリア１ａ，１ｂを備えたデータキャリア構造Ａと、図１８に示すように、アンテナコイル１１を含む送受信部１２と、ＣＰＵ（中央演算装置）等の制御部１３を有し、データキャリア１ａ，１ｂとの間で電磁波通信を行う通信装置１４とを備えた電磁波通信システムである。
【００３５】
データキャリア構造Ａのデータキャリア１ａ，１ｂは、その表面が金属層５で覆われて保護される。金属層５は、それを介してデータキャリア１ａ，１ｂが通信装置１４との間で電磁誘導作用により電磁波通信が可能な厚さに形成されている。
【００３６】
ここで、図４を参照して本発明の原理を説明する。データキャリア構造Ａはデータキャリア１ａ，１ｂとそれを保護する金属層５を備え、データキャリア１ａ，１ｂは金属層５を介してリーダ機またはリーダライタ機等の通信装置１４との間で通信を行う。
【００３７】
例えば、通信装置１４のアンテナコイル１１からデータキャリア構造Ａに読み込み信号を電磁波Ｈ１として送信すると、その電磁波Ｈ１により金属層５の内部に表皮電流Ｉが発生し、その表皮電流Ｉによりデータキャリア構造Ａの内部に電磁波Ｈ２が発生する。
【００３８】
即ち、通信装置１４から送信された電磁波Ｈ１は金属層５を通しての電磁誘導作用によりデータキャリア１ａ，１ｂに電磁波Ｈ２を伝送することが出来る。逆にデータキャリア１ａ，１ｂのアンテナコイル２ａ，２ｂからの応答電磁波も金属層５を通しての電磁誘導作用により通信装置１４に伝送される。
【００３９】
通信に使用される電磁波の周波数は数百Ｈｚ〜数ＭＨｚの範囲で種々選択されるが、そのような高周波の電磁波が金属層５に照射されると前記のように金属層５中には表皮電流Ｉが発生するが、その表皮電流Ｉの厚さｄは（πｆμρ）の１／２乗に反比例することが分かっている。ここでｆは電磁波の周波数、μは金属層５の誘電率、ρは金属層５の抵抗率である。
【００４０】
そして、金属層５を通しての電磁誘導作用により通信を行うには金属層５の厚さｔをｔ≦ｄとする必要があり、ｄを一定とすればｔの値がそれより小さいほど通信感度が向上することが分かった。
【００４１】
しかし、金属層５の厚さｔの値が小さいほど（即ち、薄いほど）、その強度が低下し、ある限界に達すると、データキャリア１ａ，１ｂを保護する機能が果たせなくなる。そこで実用的な保護強度を達成しながら電磁誘導作用で通信可能とするには、表皮電流Ｉの厚さｄを大きく出来る金属材料を選択する必要がある。
【００４２】
そこで、本発明者等は種々の金属材料を用いてデータキャリア１ａ，１ｂを保護する金属層５を種々の厚さで形成し、電磁誘導作用による通信を行なった実験によれば、金属層５の材質として、オーステナイト系ステンレス、白銅、チタン等がそのような目的に適合していることが判明した。また、真鍮等も使用可能である。
【００４３】
一方、鉄、アルミニウム、銅、ニッケル等は表皮電流Ｉの厚さｄの値が小さく、金属層５を箔程度まで薄くしなければ通信が困難であることが分かった。
【００４４】
以下に示す表１は金属層５としてオーステナイト系ステンレス板（ＳＵＳ３０１，ＳＵＳ３０４，ＳＵＳ３１６）及びフェライト系ステンレス板（ＳＵＳ４３０）を用いたデータキャリア構造Ａについて非接触での通信可能距離を測定した実験結果である。
【００４５】
実験は円形状のアンテナコイル２ａを有するデータキャリア１ａとして外径直径５０ｍｍ、同じく２０ｍｍの２種類のデータキャリア構造Ａであるタグ１、２について行い、通信装置１４としてリーダライタ（Ｒ／Ｗ）機を使用して情報が正確に読み取れる読取距離（各データキャリア構造Ａと通信装置１４との離間距離）を測定した。
【００４６】
尚、表１において、各種金属板の板厚に積層枚数を乗じた値を金属層５全体の層厚として示しており、各金属板の寸法は端部から磁束が漏洩しない十分な大きさとした。また、読取距離において「×」は読取出来なかった場合を示す。
【００４７】
【表１】
2005020364.tif 000003
【００４８】
金属層５の厚さを変えるため、薄い金属板を複数重ねる方法も採用して種々実験したが、同じ層厚の場合、単層より積層のほうが通信距離は小さくなった。この原因は積層の場合には金属板間に空気層が介在するので、電磁誘導作用が多段階になるため電磁波の減衰が大きいためと推定される。
【００４９】
以下に示す表２は鉄板、銅板、白銅板、ニッケル板、チタン板、アルミニウム板、真鍮板について前記表１と同様な方法で行った実験結果である。
【００５０】
【表２】
2005020364.tif 000004
【００５１】
上記表１、２に示したように、金属層５として、オーステナイト系ステンレス、白銅、チタン等が本発明のデータキャリア構造Ａに適していることが分かる。
【００５２】
金属層５を上記のような好ましい金属材料から選択し、且つその適正な厚みを選択することにより、実用的な通信感度を有するデータキャリア設置構造を構成することが出来る。尚、本発明にいう「電磁誘導作用により金属板の表面側との間で通信可能な厚さに形成した金属層」とは、そのような通信機能を発揮出来る材料と厚みを有する金属層を意味する。
【００５３】
図１は本発明に係るデータキャリア構造Ａをカード状として構成した一例である。Ａはデータキャリア構造、１ａはデータキャリア、５はデータキャリア１ａの両面に設けられた金属層、２ａは図２に示すように導線を空芯コイルに巻回して形成した円形状のアンテナコイル、４はＩＣ回路からなる半導体ＩＣチップ（制御チップ）、７は樹脂層である。
【００５４】
図２に示す円形状或いは環状のデータキャリア１ａは、円形の空芯コイルからなるアンテナコイル２ａと、それに接続した半導体ＩＣチップ４を樹脂に埋め込んで成形し全体が樹脂モールドされた外径直径１０ｍｍ〜５０ｍｍ程度、厚さ０．７ｍｍ〜１２．０ｍｍ程度のものが市販されている。例えば株式会社ハネックスから市販されている型式Ｌｏｇｉ  Ｔａｇ等が適用可能である。
【００５５】
半導体ＩＣチップ４は図３に示すように、ＣＰＵ（中央演算装置）等の制御部４ａ、書き込み可能な不揮発性記憶素子を有するメモリ等の記憶部４ｂ、送受信部４ｃ及び電力貯蔵用のコンデンサ４ｄを有している。
【００５６】
上記データキャリア１ａの送受信方法を図３により説明すると、先ずリーダライタ機等の通信装置１４が最初のステップでデータキャリア１ａの呼び出し及び電力送信用の電磁波を送信すると、データキャリア１ａはその電磁波をアンテナコイル２ａと送受信回路からなる送受信部４ｃの同調作用により受信し、その電力をコンデンサ４ｄに貯蔵する。これによってデータキャリア１ａは作動状態になるので、次のステップで通信装置１４からデータキャリア１ａに読み出し用の電磁波を送信する。
【００５７】
電磁波はデータキャリア１ａのアンテナコイル２ａから送受信部４ｃを経て制御部４ａに入力され、該制御部４ａはそれに応じて必要な情報を記憶部４ｂから読み出し、その情報を送受信部４ｃからアンテナコイル２ａを経て電磁波として通信装置１４に送信する。通信装置１４からデータキャリア１ａの記憶部４ｂにデータを書き込む場合も上記方法に準じて実行される。尚、これ等一連のステップは略瞬時に行われる。
【００５８】
一般に電磁波は９０度の位相差をもって交流的に伝播する電界と磁界により表すことが出来、その磁界とアンテナコイル２ａが鎖交することにより該アンテナコイル２ａに流れる電流（高周波電流）を利用して送受信が行われる。
【００５９】
例えば、アンテナコイル２ａから電磁波が送信される場合は、該アンテナコイル２ａに流れる高周波電流により高周波の磁界成分がアンテナコイル２ａの中心を通るループ（磁束ループ）として分布し、この磁束領域に通信装置１４のアンテナコイル１１を置くと、通信装置１４はデータキャリア１ａからの情報を受信出来る。
【００６０】
同様に通信装置１４から電磁波を送信する場合にも、データキャリア１ａのアンテナコイル２ａの周囲に磁界成分が分布し、それをアンテナコイル２ａが受信することになる。
【００６１】
データキャリア１ａは円形状のアンテナコイル２ａに半導体ＩＣチップ４を接続した状態で樹脂層７によりモールドして形成され、そのデータキャリア１ａの両面にオーステナイト系ステンレス板からなる金属層５を接着等により貼り付けてカード状で構成される。
【００６２】
尚、場合によっては金属層５をデータキャリア１ａの片面のみに形成することも出来る。また、データキャリア構造Ａの他の例として図６及び図７に示すように、棒状に形成された鉄心やフェライト等の円柱状のコア部材３の外周に軸方向（図７の左右方向）にアンテナコイル２ｂを単線巻きで螺旋状に密に巻回したシリンダ状のロッドアンテナを有し、そのアンテナコイル２ｂの両端をＩＣ回路で構成した半導体ＩＣチップ４に接続して構成されるデータキャリア１ｂを金属層５で保護しても良い。
【００６３】
このような全体が棒状に形成されたデータキャリア１ｂは、コア部材３とアンテナコイル２ｂを含むロッドアンテナ部分とＩＣ回路からなる半導体ＩＣチップ４を細長いガラス容器に密封し、外径直径が数ミリ程度で全長を十数ミリから数十ミリ程度に小型化したものが市販されている。このタイプのデータキャリアは（株）ハネックスからＲＦＩＤタグとして市販されているＧｌａｓｓ  Ｔａｇがあり、それは外径直径２ｍｍ〜４ｍｍ、長さ１２ｍｍ〜１５ｍｍ程度と極めて小型になっている。
【００６４】
カード状のデータキャリア構造Ａは表面が金属層５で覆われているので、専ら屋外での使用や設置されるカードまたは金属銘板として利用出来る。特に外灯や街路樹に取り付けてそれらが位置している番地、名称、種類等を表示すると共に、内部の記憶部４ｂに病歴、メンテナンス情報、機器仕様等の情報を格納した銘板に好適に利用出来る。
【００６５】
また、リース用のクレーン、ショベルカー等の建機の銘板としても利用出来る。その場合には内部の記憶部４ｂに例えば貸与履歴情報や機器仕様等の情報が格納される。
【００６６】
このように、特定の金属層５を設けることにより、電磁誘導作用によりデータキャリア１ａ，１ｂと外部の通信装置１４との間において実用的な通信感度で通信を行うことが出来る。また、金属層５を介在させることによりデータキャリア１ａ，１ｂを外部衝撃からより確実に保護出来る。
【００６７】
図５及び図６は本発明に係るデータキャリア構造Ａの他の例である。この例では図５に示すように、円形状のアンテナコイル２ａを有するデータキャリア１ａ或いは、図６に示すように、シリンダ状のアンテナコイル２ｂを有するデータキャリア１ｂを、夫々オーステナイト系ステンレス板からなる金属層５で形成した容器８内に収容して封入したものである。
【００６８】
薄型の容器８内にデータキャリア１ａ，１ｂを封入したものは、例えばゲームセンターやカジノ等のコインとして利用出来る。コインの記憶部に他施設と区別する情報を格納することにより不正両替等を防止する。特に円形状のアンテナコイル２ａを使用する場合は、通信の方向性がなく且つ表裏どちらの方向からも通信可能なので、自動選別装置に設けた簡単な通信装置１４であっても容易に読み取りが出来る。
【００６９】
次に図８〜図１１を用いて本発明に係る電磁波通信システムにおいて、データキャリアの表面を覆う金属層の表面に通信位置を表示した金属製の銘板に適用した各種実施形態について説明する。
【００７０】
図８（ａ），（ｂ）は本発明に係る電磁波通信システムに適用されるデータキャリア付き銘板の実施形態の構成を示す平面図及び部分拡大断面図、図９（ａ），（ｂ）は本発明に係る電磁波通信システムに適用されるデータキャリア付き銘板の他の実施形態の構成を示す平面図及び部分拡大断面図、図１０（ａ），（ｂ）は本発明に係る電磁波通信システムに適用されるデータキャリア付き銘板の更に他の実施形態の構成を示す平面図及び部分拡大断面図、図１１（ａ），（ｂ）は本発明に係る電磁波通信システムに適用されるデータキャリア付き銘板の更に他の実施形態の構成を示す平面図及び部分拡大断面図である。尚、前記各実施形態と同様に構成したものは同一の符号を付して説明を省略する。
【００７１】
図８において、銘板６はデータキャリア１ａの表面を覆う金属層５からなる金属板からなり、その表面側に表示面が設けられ、該銘板６を取り付ける機械や装置の名称や製造者名等が刻印、印刷、或いはレーザ加工等により図８（ａ）に点線で示される表示部９に記入される。
【００７２】
金属板の一部は裏面側からプレス加工して該金属板の裏面側に凹部１０を形成した後、該凹部１０に図２に示すように全体が円形に形成されたデータキャリア１ａを配置して収容し、その周囲を接着剤等の充填材１５で固定する。
【００７３】
そして、図８（ｂ）に示すように、機械や装置等の設置体１６の表面に銘板６の裏面側を当接してビス１７等により固定する。データキャリア１ａを収容して固定した金属層５の凹部１０の表面側は凸状に盛り上がった状態となり、該凸部１８の表面側には図８（ａ）に示すように表示手段となるマーク１９が形成される。尚、凸部１８がデータキャリア１ａの通信位置を示す表示手段として識別可能な場合には、マーク１９を省略することも出来る。
【００７４】
データキャリア１ａを配置した部分の金属層５からなる金属板の表面に設けられる通信位置を示す表示手段は、凸部、文字、図形、記号、模様、色等の識別性を有するものであれば特に制限はない。図８（ａ）のマーク１９は金属層５からなる金属板の地色と異なる着色によって形成される。
【００７５】
図９に示す実施形態では、銘板６を構成する金属層５からなる金属板の裏面側に図２に示して前述した円形のデータキャリア１ａが配置され、そのデータキャリア１ａの更に裏面側に樹脂または金属材料からなる硬質な保護層２０が設けられる。
【００７６】
そして金属層５からなる金属板と保護層２０は接着層２１で互いに接着され、それによってデータキャリア１ａの両面は硬質な材料によって保護される。尚、前記の保護層２０を金属材料で作る場合は、金属層５からなる金属板に適した材料、特に金属板に用いられるものと同じ材料を使用することが望ましい。
【００７７】
本実施形態、特に保護層２０が樹脂または導電性がそれ程高くない金属材料の場合には、前記第１実施形態と同様に金属層５からなる金属板を介した電磁誘導作用によりデータキャリア１ａと金属板の表面側との間で通信可能である。他の構成は前記各実施形態と同様に構成され、同様の効果を得ることが出来る。
【００７８】
尚、保護層２０がアルミニウムや銅もしくはマグネシウム合金等の高導電性の材料で作る場合は、次に説明する他の実施形態を採用することが望ましい。図１０は図９の変形例であり、データキャリア１ａと高導電性材料の金属板からなる保護層２０との間に高比透磁率の磁性体層となるシート状のアモルファス磁性体からなるシート状磁性体２２が配置される。
【００７９】
このシート状磁性体２２は前述のように、保護層２０として例えばアルミニウムや銅もしくはそれらの合金或いはマグネシウム合金のように高導電性の材料を使用した場合における通信困難性を解消するために設けられる。
【００８０】
本発明者等が行った実験によれば、図２のような円形の空芯コイルからなるアンテナコイル２ａを用いたデータキャリア１ａの場合、金属板からなる保護層２０の導電性が高くなるほど、通信感度が低下することが分かった。例えば保護層２０が鉄やステンレス等の鉄系合金の場合には、通信感度の低下は殆ど問題にならないが、銅やアルミニウムもしくはマグネシウム合金のような高導電性を有する材料の場合には、実用的な通信感度を得ることが困難になる。
【００８１】
このような通信感度の低下を防止するには、データキャリア１ａのアンテナコイル２ａと高導電性金属部材である保護層２０との間に高比透磁率を有するシート状磁性体２２、例えば可撓性を有するシート状のアモルファス磁性体を介在させる方法がある。勿論、鉄や鉄合金の場合にも、より通信感度を上げることを目的として、高比透磁率を有するシート状磁性体２２を介在しても良い。
【００８２】
例えば、図１０の例では、データキャリア１ａと保護層２０との間に高比透磁率を有するシート状磁性体２２を介在させることで、データキャリア１ａのアンテナコイル２ａと保護層２０との間を電磁的に遮蔽することが出来、これによりアンテナコイル２ａと金属層５からなる金属板との間の電磁誘導作用を向上することが出来、該金属板の表面側外部のリーダライタ機等の通信装置１４との通信感度を向上することが出来る。
【００８３】
アモルファス磁性体の比透磁率は数万から数百万のオーダを有し、このような高比透磁率のシート状磁性体２２は、その周囲に金属製の物体が接近する場合でも、データキャリア１ａのアンテナコイル２ａと保護層２０との間を電磁的に遮蔽することが出来、設置体１６への磁束を遮蔽して通信感度の低下を防止することが出来る。
【００８４】
一方、図８に示した実施形態の場合でも、銘板６を固定する設置体１６自体、または少なくともその表面が金属材料で形成されている場合、特に高導電性材料であるアルミニウムや銅もしくはそれらの合金或いはマグネシウム合金等のような高導電性の材料で形成されている場合には、データキャリア１ａにおける設置体１６側に同様な高比透磁率のシート状磁性体２２を配置することによって、設置体１６への磁束を遮蔽して通信感度の低下を防止することが出来る。高比透磁率のシート状磁性体２２を配置する設置構造は図１０に示すとおりである。
【００８５】
図１１は図８の変形例であり、本実施形態では、図７に示すように棒状に形成されたデータキャリア１ｂを採用したものである。他の構成は前記各実施形態と同様に構成され、同様の効果を得ることが出来るものである。
【００８６】
上記各実施形態の銘板６は例えば次のような機械、装置または設備等に適用出来る。
【００８７】
（１）プレス加工機、金型、旋盤やボール盤等の工作用機械、及び工業産業用機械全般
（２）シャフト、ベアリング、歯車、車輪、車軸等の機械構造部品
（３）電動機、発電機、変圧器、電気通信機器等の電気関連機器
（４）分析器、測定機械等の機器類
（５）消毒装置、診察用装置等の医療機器
（６）ポンプ、タービン、油圧機器等の機器類
（７）金属配管、金属ダクト等の配管類、ガスボンベ、ビア樽等の圧力容器
（８）操作盤、制御盤等の盤類
（９）自動車、自動二輪車、自転車等の車両、船舶、飛行機等の部品
（１０）クレーン、フォークリフト等の荷役機械パレット、コンテナー、折りたたみ式コンテナー、通箱、ドラム缶、等の荷役用具
（１１）電気・通信・ガス・空調等の設備、エレベータ、エスカレータ等の建物設備
（１２）外灯、電柱、歩道橋、橋梁、信号、道路標識、住居表示器、境界標識、案内板、消火栓、樹木等の道路関連設備等である。
【００８８】
前述のように、本発明に係る電磁波通信システムに適用されるデータキャリア付き銘板６はその裏面側にデータキャリア１ａ，１ｂを設けて構成される。一方、データキャリア１ａ，１ｂには機械や装置の仕様、内容及びメンテナンス情報等の大量の情報を記憶することも出来るが、それら情報の大部分を管理部門に配置したコンピュータシステムの記憶装置に記憶しておき、データキャリア１ａ，１ｂには機械や装置の管理番号や符号等の識別情報だけを記憶しておくことも出来る。
【００８９】
その場合には機械や装置の設置現場で携帯型の通信装置１４で銘板６に設けたデータキャリア１ａ，１ｂからそのＩＣチップのＩＤ番号を認識して識別情報を読み取り、通信回線を利用して前記コンピュータシステムにアクセスし、その記憶装置から当該機械や装置の情報を受け取ることも出来る。
【００９０】
次に図１２及び図１３を用いて本発明に係る電磁波通信システムにおいて、回転軸にデータキャリアを設置した場合の実施形態について説明する。図１２（ａ），（ｂ）は回転軸のデータキャリア設置構造を示す正面図及び右側面図、図１３（ａ）はデータキャリア設置部の構成を示す拡大断面図、図１３（ｂ）は図１３（ａ）のＡ−Ａ断面説明図である。尚、前記各実施形態と同様に構成したものは同一の符号を付して説明を省略する。
【００９１】
図１２において、２３は設置体として金属製の回転軸となる車軸であり、２４は鉄道車両の車輪である。そして、車軸２３の表面の一部である端面にデータキャリア１ｂの設置部２５が設けられている。図１３に示すように、設置部２５は車軸２３の端面の中央部に断面円形の凹部２６が設けられ、該凹部２６の内部にデータキャリア１ｂが収容される。尚、凹部２６は車軸２３の端面の中央部から偏った部分に設けることも出来る。
【００９２】
データキャリア１ｂは金属製でキャップ状に形成した断面円形の金属層５からなる保護体２７の内部に収容して配置され、該保護体２７の内壁面とデータキャリア１ｂとの間に形成される空隙部には接着剤等の充填材１５が充填されている。
【００９３】
そして、データキャリア１ｂを内部に収容し充填材１５で固定した保護体２７を凹部２６の内部に挿入して収容し、該保護体２７の外周面と凹部２６の内壁面との間隙を接着剤２８で接着することにより図１３に示すような設置状態になる。
【００９４】
本発明も前記各実施形態と同様に、データキャリア１ｂが保護体２７の表面側の金属層５を介して電磁誘導作用により外部の通信装置１４と間で電磁波通信を行うように構成したことに特徴がある。保護体２７内に収容されたデータキャリア１ｂはその表面側が金属層５により遮蔽して保護されており、その金属層５はデータキャリア１ｂが電磁誘導作用により外部の通信装置１４との間で通信可能な厚さに形成されている。
【００９５】
尚、図７に示す棒状のデータキャリア１ｂの代わりに、図２に示す円形状のデータキャリア１ａを採用することも出来る。
【００９６】
次に図１４及び図１５を用いて本発明に係る電磁波通信システムにおいて、ゲームセンターやカジノ等のコインにデータキャリアを設置した場合の実施形態について説明する。図１４（ａ）は片面式の金属ケースにデータキャリアを挿入する様子を示す図、図１４（ｂ），（ｃ）はデータキャリアを収容した金属層を有する金属ケースをコインの凹部に収容した構成を示す断面説明図及び平面図、図１５（ａ）は両面式の金属ケースにデータキャリアを挿入する様子を示す図、図１５（ｂ），（ｃ）はデータキャリアを収容した金属層を有する金属ケースをコインの貫通孔に収容した構成を示す断面説明図及び平面図である。尚、前記各実施形態と同様に構成したものは同一の符号を付して説明を省略する。
【００９７】
図１４において、図２に示す円形状のデータキャリア１ａが金属製でキャップ状に形成した断面円形の金属層５からなる金属ケース３０の内部に収容され、該金属ケース３０の内壁面とデータキャリア１ａとの間隙を接着剤２８で接着して固定される。一方、ゲームセンターやカジノ等のコイン２９の中央部には金属ケース３０の大きさに応じた凹部２９ａが形成されている。
【００９８】
そして、データキャリア１ａを内部に収容し接着剤２８で固定した金属ケース３０を金属層５を表面側に配置してコイン２９の凹部２９ａの内部に挿入して収容し、該金属ケース３０の外周面と凹部２９ａの内壁面との間隙を接着剤２８で接着することにより図１４に示すような設置状態になる。金属ケース３０の金属層５及びコイン２９の凹部２９ａの底面２９ｃはデータキャリア１ａが電磁誘導作用により外部の通信装置１４との間で通信可能な厚さに形成されている。
【００９９】
図１５において、図２に示す円形状のデータキャリア１ａが金属製でキャップ状に形成した断面円形の金属層５からなる一対の金属ケース３０の内部に収容され、該金属ケース３０の内壁面とデータキャリア１ａとの間隙をそれぞれ接着剤２８で接着して固定される。一方、ゲームセンターやカジノ等のコイン２９の中央部には金属ケース３０の大きさに応じた貫通孔２９ｂが形成されている。
【０１００】
そして、両側からデータキャリア１ａを内部に収容し接着剤２８で固定した一対の金属ケース３０を貫通孔２９ｂの内部に挿入して収容し、該一対の金属ケース３０の外周面と貫通孔２９ｂの内壁面との間隙を接着剤２８で接着することにより図１５に示すような設置状態になる。各金属ケース３０の金属層５はデータキャリア１ａが電磁誘導作用により外部の通信装置１４との間で通信可能な厚さに形成されている。
【０１０１】
次に図１６〜図１８を用いて、本発明に係る電磁波通信システムにおいて、通信装置が開閉ロック機構に設置された場合の実施形態について説明する。図１６及び図１７は本発明に係る電磁波通信システムにおいて、金属材料で構成された設置体となる建物の開閉扉とそれに隣接する壁に対して適用した場合の一例を示す正面図及び横断面図であり、図１６は開閉扉の外側から見た正面図、図１８は通信装置の電磁波通信原理を利用した開閉扉の開閉システムを説明するブロック図である。尚、前記各実施形態と同様に構成したものは同一の符号を付して説明を省略する。
【０１０２】
建物の開閉扉３３は、図１７に示すように、鉄板で作られた表板３４及び裏板３５と、それ等を連結する側板３６により構成され、一方の側板３６が複数のヒンジ部材３７により壁３８に対して開閉自在に連結される。
【０１０３】
壁３８は鉄筋コンクリート製の厚い基部３９と、その表面に被覆した金属層を構成する比較的薄い鉄板製の被覆板４０により構成され、図１６に示すように天井部４１と床部４２との間に直立して構築されている。設置体となる壁３８の内部に通信装置１４及び開閉ロック装置４４の駆動部４５が配置される。尚、これ等の通信装置１４と開閉ロック装置４４は壁３８の内部に形成した空間部に裏側から挿入し、周囲の壁部分に装脱着可能に固定される。
【０１０４】
開閉ロック装置４４の駆動部４５は、例えば、電磁駆動式シリンダにより構成され、その駆動軸４３の先端部が開閉扉３３の側板３６に設けた受部４６内に挿入または退避して施錠または解錠するようになっている。
【０１０５】
尚、開閉扉３３には、図１６及び図１７に示すように手で開閉操作するための取手４７が設けられる。更に開閉扉３３の裏側には開閉ロック装置４４を施錠側にロックするための図示しない手動レバーが設けられる。
【０１０６】
通信装置１４はその通信側、即ち、アンテナコイル１１側が壁３８の表面側に近づくようにして図１７に示すように被覆板４０の付近に配置する。そして、送受信部１２、制御部１３及び記憶部３１を含む通信装置１４全体が被覆板４０により保護される。
【０１０７】
そして、通信装置１４をデータキャリア１ａ，１ｂと電磁誘導作用により通信可能な厚さに形成した金属層５を構成する被覆板４０を介して設置体となる壁３８の表面側に配置する。開閉ロック装置４４は金属材料で構成された開閉扉３３と、それに隣接する壁３８との間に設けられ、金属材料で構成された設置体である壁３８に設けた開閉ロック装置４４が非接触で開閉する。
【０１０８】
その際、通信装置１４の通信側と対向する被覆板４０が前述した「電磁誘導作用により通信可能な厚さに形成した金属層」の機能を果たせない場合、例えば厚い鉄板等の場合には、その部分を開口して図１６及び図１７に示すように通信装置１４に適合する金属層５を溶接等で接合する。金属層５の材質はオーステナイト系ステンレス、チタン、白銅から適宜選択され、層厚も適宜選択される。
【０１０９】
図１８は上記通信装置１４の電磁波通信原理を利用した本発明に係る電磁波通信システムを説明するブロック図である。通信装置１４はアンテナコイル１１を有する送受信部１２と、該送受信部１２の送受信を制御する制御部１３と、該制御部１３に接続した記憶部３１と、制御部１３からの制御信号を受けて、図１７に示す開閉扉４１の開閉ロック装置４４に駆動信号を出力する駆動部４５と、外部交流電源を受けて前記各機器に直流電源を供給する電源部３２を備えている。
【０１１０】
前記送受信部１２、制御部１３及び記憶部３１はマイクロコンピュータで構成することが出来、電源部３２は小型ダイオードとコンデンサにより構成出来、駆動部４５はサイリスタ回路により構成出来る。尚、通信装置１４のアンテナコイル１１は通信感度を容易に高く出来る図２に示すような円形状の空芯コイルを有するものが望ましい。
【０１１１】
次に図１７及び図１８を用いて開閉動作について説明すると、例えばデータキャリア１ａの記憶部４ｂに予め記憶された解錠のための特定のコード情報をアンテナコイル２ａから電磁波として発信すると、その電磁波は金属層５における表皮電流Ｉを媒介して通信装置１４のアンテナコイル１１に受信される。
【０１１２】
受信した特定のコード情報は制御部１３で予め記憶部３１に記憶されているコード情報と比較照合して判別し、両者が一致したときは制御部１３から駆動部４５に制御信号を出力し、駆動部４５から図１７に示す開閉ロック装置４４に解錠信号が出力される。また不一致のときは制御部１３から解錠のための制御信号は出力しない。
【０１１３】
前述の各実施形態において、データキャリア１ａ，１ｂの表面を覆う金属層５、或いは通信装置１４の表面を覆う金属層５の表面側に通信位置を表示するか、または暗号機能を有するマーク１９や図形、若しくは記号等を表示することが出来る。
【０１１４】
このように通信可能領域の設置体の外側に暗号機能を有するマークや記号類等の暗号表示手段を設けた場合には、それを予め暗号表示として知らされ、または認識している者のみが、そのマークや記号類等の暗号表示手段にデータキャリア１ａ，１ｂや通信装置１４を近づけて設置体１６内側のデータキャリア１ａ，１ｂ若しくは通信装置１４との間で通信を行うことが出来、一般には通信困難な金属製の設置体１６に対して、より高いセキュリティ性と通信感度を確保することが出来る。
【０１１５】
暗号機能を有するマーク１９の他の一例としては製品情報や会社名等が記載されているシールや銘板等も利用出来る。
【０１１６】
【発明の効果】
本発明は、上述の如き構成と作用とを有するので、機械的保護性能が高く、紫外線等から有効に保護され、データキャリアや通信装置の設置箇所の自由度が向上する電磁波通信システムを提供することが出来る。
【０１１７】
即ち、請求項１の発明は、電磁波通信システムを構成するデータキャリアが金属層により覆われているので、紫外線に曝される機会が多い屋外施設等での利用の場合であっても、該金属層により覆われた部分の機械的保護性能が向上し、更に紫外線から有効に保護して長期間の耐久性を確保出来る。またデータキャリアは金属層を介して通信装置と実用レベルで電磁波通信を行うことが出来る。
【０１１８】
また、データキャリアの表面を覆う金属層の表面側に通信位置を表示するか、または暗号機能を有するマーク、図形もしくは記号を表示することが出来る。このように通信位置を表示することにより、該通信位置に通信装置を近づけることによりデータキャリアと最短距離で電磁波通信を行うことが出来るので、誰でも迷うことなく確実に且つ高い通信感度で電磁波通信を行うことが出来る。
【０１１９】
また、暗号機能を有するマーク等を表示することにより、関係者以外はそのマーク等の意味を認識出来ず、関係者のみが該マーク等に通信装置を近づけてデータキャリアと電磁波通信を行うことが可能であるので、データキャリアのセキュリティ性を高めることが出来る。
【０１２０】
また、データキャリアの表面を覆う金属層の表面側が銘板の表示面を構成することが出来る。このような構成とすると裏面にデータキャリアを設けた銘板を構成出来、屋外において使用される街路灯等の道路施設や建設機械の銘板の裏面に設けたデータキャリアに安定して各種情報を記憶することが出来る。
【０１２１】
また、データキャリアはカード状に形成され、その両面を金属層で覆うことが出来る。このカード状のデータキャリアは、機械的保護性能が高く、屋外に曝しても紫外線により損傷を受けない耐久性の高いＩＣカードとなる。
【０１２２】
また、データキャリアを金属層で形成された容器に収容することが出来る。このようにデータキャリアを容器内に収容すると、屋外に曝しても紫外線により損傷を受けない耐久性の高いデータキャリアとなり、例えば持ち運び自由なゲームコインやカジノコイン等に利用出来る。
【０１２３】
また、データキャリアを設置体に設置し、その表面側を金属層で覆うことが出来る。このように設置体に設置したデータキャリアに、その設置体の情報を記憶させておくことが出来る。
【０１２４】
また、設置体が回転軸の場合、データキャリアを該回転軸の端面に設置することが出来る。このようにデータキャリアを回転軸の端面に設置すると、該回転軸の回転に伴う遠心力のデータキャリアに対する影響を低減出来る。
【０１２５】
また、設置体におけるデータキャリアを設置する部分の材質が高導電性材料の場合は、該高導電性材料とデータキャリアとの間に高比透磁率の磁性体を介在させることが出来る。
【０１２６】
データキャリアに接するような形態で高導電性材料が存在すると、電磁波通信に利用する磁束により該高導電性材料に渦電流が流れ、それによって通信感度が低下する傾向にあるが、このような高比透磁率の磁性体を介在させることにより、渦電流が流れることを防止出来、通信感度低下を回避することが出来る。
【０１２７】
また、請求項９の発明によれば、電磁波通信システムを構成する通信装置の少なくともアンテナ部分、即ちその通信部分の表面が金属層により覆われているので、該部分の機械的保護性能が高く、使用状態で紫外線に曝される機会の多い該通信部分を紫外線から有効に保護して長期間の耐久性を確保出来る。また通信装置は金属層を介してデータキャリアと実用レベルで電磁波通信を行うことが出来る。
【０１２８】
また、通信装置は電磁波通信によりデータキャリアとの間で通信を行うリーダまたはリーダライタとすることが出来る。このように上記通信装置はリーダまたはリーダライタとすることが出来、そのリーダまたはリーダライタにおけるデータキャリアとの通信を行うアンテナ部分、即ち電磁波検出もしくは送信する通信部分の表面が金属層により覆われているので、機械的保護性能が高くなり、使用状態で紫外線に曝される機会の多い該通信部分が紫外線から有効に保護され、長期間の耐久性を確保出来る。
【０１２９】
また、通信装置を開閉ロック機構に設置し、その少なくともアンテナ部分の表面側を金属層で覆うことが出来る。このように通信装置は開閉ロック機構に設置することが出来、例えば建物の出入口に設けたドアや金庫の扉等の開閉ロック機構をデータキャリアとの電磁波通信により駆動することが出来る。
【０１３０】
また、金属層の表面側に通信位置を表示するか、または暗号機能を有するマーク、図形もしくは記号を表示することが出来る。通信位置を表示した場合、該通信位置に通信装置を近づけることによりデータキャリアと最短距離で電磁波通信を行うことが出来るので、誰でも迷うことなく確実に且つ高い通信感度で電磁波通信を行って開閉ロック機構を駆動することが出来る。
【０１３１】
また、暗号機能を有するマーク等を表示した場合、関係者以外はそのマーク等の意味を認識出来ず、関係者のみが該マーク等に通信装置を近づけてデータキャリアと電磁波通信を行って開閉ロック機構を駆動することが出来るので、データキャリアのセキュリティ性を高めることが出来る。
【図面の簡単な説明】
【図１】本発明に係る電磁波通信システムのデータキャリア構造をカードとして構成した一例を示す断面説明図及び正面説明図である。
【図２】円形状のアンテナコイルを有するデータキャリアの構成及び該アンテナコイルに発生する磁界の様子を示す図である。
【図３】データキャリアの制御系の構成を示すブロック図である。
【図４】本発明に係るデータキャリア構造における通信原理を説明する図である。
【図５】本発明に係るデータキャリア構造の他の例であり、円形状のアンテナコイルを有するデータキャリアを金属層で形成された容器に封入した構成を示す断面説明図である。
【図６】本発明に係るデータキャリア構造の更に他の例であり、シリンダ状のアンテナコイルを有するデータキャリアを金属層で形成された容器に封入した構成を示す断面説明図である。
【図７】シリンダ状のアンテナコイルを有するデータキャリアの構成及び該アンテナコイルに発生する磁界の様子を示す図である。
【図８】（ａ），（ｂ）は本発明に係る電磁波通信システムに適用されるデータキャリア付き銘板の実施形態の構成を示す平面図及び部分拡大断面図である。
【図９】（ａ），（ｂ）は本発明に係る電磁波通信システムに適用されるデータキャリア付き銘板の他の実施形態の構成を示す平面図及び部分拡大断面図である。
【図１０】（ａ），（ｂ）は本発明に係る電磁波通信システムに適用されるデータキャリア付き銘板の更に他の実施形態の構成を示す平面図及び部分拡大断面図である。
【図１１】（ａ），（ｂ）は本発明に係る電磁波通信システムに適用されるデータキャリア付き銘板の更に他の実施形態の構成を示す平面図及び部分拡大断面図である。
【図１２】（ａ），（ｂ）は回転軸のデータキャリア設置構造を示す正面図及び右側面図である。
【図１３】（ａ）はデータキャリア設置部の構成を示す拡大断面図、（ｂ）は（ａ）のＡ−Ａ断面説明図である。
【図１４】（ａ）は片面式の金属ケースにデータキャリアを挿入する様子を示す図、（ｂ），（ｃ）はデータキャリアを収容した金属層を有する金属ケースをコインの凹部に収容した構成を示す断面説明図及び平面図である。
【図１５】（ａ）は両面式の金属ケースにデータキャリアを挿入する様子を示す図、（ｂ），（ｃ）はデータキャリアを収容した金属層を有する金属ケースをコインの貫通孔に収容した構成を示す断面説明図及び平面図である。
【図１６】本発明に係る電磁波通信システムにおいて、金属材料で構成された設置体となる建物の開閉扉とそれに隣接する壁に対して適用した場合の一例を示す正面図であり、開閉扉の外側から見た正面図である。
【図１７】本発明に係る電磁波通信システムにおいて、金属材料で構成された設置体となる建物の開閉扉とそれに隣接する壁に対して適用した場合の一例を示す及び横断面図である。
【図１８】通信装置の電磁波通信原理を利用した開閉扉の開閉システムを説明するブロック図である。
【符号の説明】
Ａ…データキャリア構造
１ａ，１ｂ…データキャリア
２ａ，２ｂ…アンテナコイル
３…コア部材
４…半導体ＩＣチップ
４ａ…制御部
４ｂ…記憶部
４ｃ…送受信部
４ｄ…コンデンサ
５…金属層
６…銘板
７…樹脂層
８…容器
９…表示部
１０…凹部
１１…アンテナコイル
１２…送受信部
１３…制御部
１４…通信装置
１５…充填材
１６…設置体
１７…ビス
１８…凸部
１９…マーク
２０…保護層
２１…接着層
２２…シート状磁性体
２３…車軸
２４…車輪
２５…設置部
２６…凹部
２７…保護体
２８…接着剤
２９…コイン
２９ａ…凹部
２９ｂ…貫通孔
２９ｃ…底面
３０…金属ケース
３１…記憶部
３２…電源部
３３…開閉扉
３４…表板
３５…裏板
３６…側板
３７…ヒンジ部材
３８…壁
３９…基部
４０…被覆板
４１…天井部
４２…床部
４３…駆動軸
４４…開閉ロック装置
４５…駆動部
４６…受部
４７…取手
【図１】
2005020364.tif 000005
【図２】
2005020364.tif 000006
【図３】
2005020364.tif 000007
【図４】
2005020364.tif 000008
【図５】
2005020364.tif 000009
【図６】
2005020364.tif 000010
【図７】
2005020364.tif 000011
【図８】
2005020364.tif 000012
【図９】
2005020364.tif 000013
【図１０】
2005020364.tif 000014
【図１１】
2005020364.tif 000015
【図１２】
2005020364.tif 000016
【図１３】
2005020364.tif 000017
【図１４】
2005020364.tif 000018
【図１５】
2005020364.tif 000019
【図１６】
2005020364.tif 000020
【図１７】
2005020364.tif 000021
【図１８】
2005020364.tif 000022